(57)【特許請求の範囲】
【請求項１】
感光材料に撮影された画像から光電的に読み込まれた濃度データを重層効果を受ける前の濃度データに変換する第１変換工程と、変換された濃度データを露光量データに変換する第２変換工程と、変換された露光量データにおいて適正光源と異種光源との露光量のずれを調整する工程と、こうして得られた調整露光量データに前記第２変換工程の逆変換を行って濃度データを得る第１逆変換工程と、この逆変換された濃度データに前記第１変換工程の逆変換を行って前記適正光源で撮影された感光材料を読み込んだ時に得られる濃度データと同等の濃度データを得る第２逆変換工程とを有することを特徴とする色補正方法。
【請求項２】
前記第１変換工程および第２逆変換工程は、同一の３次元ルックアップテーブルを用いることを特徴とする請求項１に記載の色補正方法。
【請求項３】
前記第２変換工程および第１逆変換工程は、前記感光材料の特性曲線に対応する同一の１次元ルックアップテーブルを用いることを特徴とする請求項１または２に記載の色補正方法。
【請求項４】
前記露光量のずれは、前記適正光源と前記異種光源との露光量差である特徴とする請求項１〜３のいずれかに記載の色補正方法。
【請求項５】
前記露光量差は、前記適正光源と前記異種光源とを前記感光材料の分光感度に基づいて評価した時の露光量差である特徴とする請求項４に記載の色補正方法。
【請求項６】
感光材料に撮影された画像から光電的に読み込まれた濃度データと重層効果を受ける前の濃度データとの間の双方向データ変換を行う第１変換手段と、前記重層効果を受ける前の濃度データと露光量データとの間の双方向データ変換を行う第２変換手段と、前記露光量データにおいて適正光源と異種光源の露光量のずれを調整する手段とを有し、
前記読み込まれた濃度データを前記第１変換手段および前記第２変換手段によって前記重層効果を受けていない前記露光量データに変換し、得られた露光量データにおいて前記調整手段によって前記露光量のずれを調整し、こうして得られた調整露光量データに前記第２変換手段および第１変換手段による逆変換を順次行って、前記適正光源で撮影された前記カラー感光材料を読み込んだ時に得られる濃度データと同等の濃度データを得ることを特徴とする色補正装置。
【発明の詳細な説明】
【０００１】
【発明の属する技術分野】
本発明は、ネガフィルムなどの感光材料に適正光源からずれた異種光源で撮影された画像から適正光源で撮影された画像のようにグレイバランスのとれた画像、特にカラー画像が良好に再現されたプリントを得るための色補正方法および装置に関する。
【０００２】
【従来の技術】
通常、カラーネガフィルムなどの感光材料は、適正光源に対して色再現が最適になるように重層効果の設計がなされている。従って、適正光源下において適正露光で感光材料に撮影されたカラー画像を通常のフォトプリンタでプリントする場合には、グレイバランスのとれた色再現の最適なプリント画像を得ることができる。
【０００３】
しかしながら、適正光源から著しくはずれた異種光源、例えば色温度の高い光源、蛍光灯、極端な場合にはタングステン光源などに対しては、この前提がくずれ、このような異種光源でカラーネガフィルムなどの感光材料に撮影した場合、色によって重層効果がかかりすぎたりして、撮影された画像を再現する際に色再現がゆがんでしまうのが普通である。このため、異種光源下で撮影された画像をそのまま再現すると、例えば、タングステン光源で撮影された画像では赤味が強く、蛍光灯で撮影された画像では緑味が強いなどの色味の強いプリントが得られる。このようなプリントは、特別な異種光源に限られず、例えば曇りなどの日でも色温度が高い場合には、同様に起こり、撮影画像をそのまま再現すると青味の強いプリントが得られる。
【０００４】
このため、従来技術では撮影画像の大面積透過濃度（ＬＡＴＤ）等の方式でプリントの色味を補正することが行われている。すなわち異種光源下の撮影画像のＬＡＴＤを適正光源下の撮影画像のＬＡＴＤとを比較し、プリントでの色味のずれの分だけシフトさせることにより、プリントの色味を補正することが行われている。
しかしながら、このような従来技術でグレイバランスのとれたプリントを作成した場合、グレイにとっては丁度よい補正であっても、個々の色にとっては補正が強すぎたり、または弱すぎたりして満足な色再現が得られないことになる。
【０００５】
すなわち、アナログプリンタでは、ハイライトからシャドウまでの全体がシフトするので、その中間のグレイ領域ではグレイバランスをとることができる。しかしながら、アナログプリンタでは階調変更ができないため、ハイライト領域やシャドウ領域では色味を完全になくすことができず、ハイライトからシャドウまでグレイバランスのとれたプリントを得ることが困難である。
一方、デジタルプリンタでは、画素毎の処理ができ、階調変更が可能であるため、色温度の高い光源や蛍光灯などの異種光源下で撮られたカラー画像であっても、ハイライトからシャドウまでの全域でグレイバランスのとれたプリントを得ることは比較的容易にできるが、色再現は、うまく補正できず、例えば、赤色が暗く沈んだ色に再現されてしまう等の欠点があった。
【０００６】
【発明が解決しようとする課題】
本発明の目的は、上記従来技術の問題点を解消し、適正光源から著しくはずれた異種光源で撮影されたネガフィルムなどの感光材料から、グレイバランスと色再現が共に適切に補正されたプリントを得ることができる色補正方法および装置を提供することにある。
【０００７】
【課題を解決するための手段】
上記目的を解決するために、本発明は、感光材料に撮影された画像から光電的に読み込まれた濃度データを重層効果を受ける前の濃度データに変換する第１変換工程と、変換された濃度データを露光量データに変換する第２変換工程と、変換された露光量データにおいて適正光源と異種光源との露光量のずれを調整する工程と、こうして得られた調整露光量データに前記第２変換工程の逆変換を行って濃度データを得る第１逆変換工程と、この逆変換された濃度データに前記第１変換工程の逆変換を行って前記適正光源で撮影された感光材料を読み込んだ時に得られる濃度データと同等の濃度データを得る第２逆変換工程とを有することを特徴とする色補正方法を提供するものである。
【０００８】
ここで、前記第１変換工程および第２逆変換工程は、同一の３次元ルックアップテーブルを用いるのが好ましい。
また、前記第２変換工程および第１逆変換工程は、前記感光材料の特性曲線に対応する同一の１次元ルックアップテーブルを用いるのが好ましい。
また、前記露光量のずれは、前記適正光源と前記異種光源との露光量差であるのが好ましく、この露光量差は、前記適正光源と前記異種光源とを前記感光材料の分光感度に基づいて評価した時の露光量差であるのが好ましい。
【０００９】
また、本発明は、感光材料に撮影された画像から光電的に読み込まれた濃度データと重層効果を受ける前の濃度データとの間の双方向データ変換を行う第１変換手段と、前記重層効果を受ける前の濃度データと露光量データとの間の双方向データ変換を行う第２変換手段と、前記露光量データにおいて適正光源と異種光源の露光量のずれを調整する手段とを有し、
前記読み込まれた濃度データを前記第１変換手段および前記第２変換手段によって前記重層効果を受けていない前記露光量データに変換し、得られた露光量データにおいて前記調整手段によって前記露光量のずれを調整し、こうして得られた調整露光量データに前記第２変換手段および第１変換手段による逆変換を順次行って、前記適正光源で撮影された前記カラー感光材料を読み込んだ時に得られる濃度データと同等の濃度データを得ることを特徴とする色補正装置を提供するものである。
【００１０】
【発明の実施の形態】
本発明に係る色補正方法および装置を添付の図面に示す好適実施形態に基づいて以下に詳細に説明する。
【００１１】
本発明の特徴とする処は、スキャナなどの画像読取装置でカラーネガフィルムなどの感光材料から得られる画像情報（濃度データ）を重層効果を受ける前の状態に変換して光源の差異を補正することにある。この重層効果を受ける前の状態では、光源の差異、特に適正光源と異種光源との差異は、容易に補正でき、例えば両光源を感光材料の分光感度で見たときの露光量差を全画像情報（全濃度データ）に加えることにより補正できる。こうして、重層効果を受ける前の状態で光源の差異を補正した後、異種光源の環境から適正光源の環境に引き戻して、再び重層効果を施すことにより、異種光源下での撮影に起因する色味をなくし、グレイバランスと色再現がともに適切に補正されたプリントを得ることができる。
【００１２】
図１は、本発明に係る色補正方法の一例を示すフローチャートである。
同図に示すように、本発明の色補正方法では、まず第１の変換工程において、異種光源下で感光材料に撮影された画像から、スキャナなどの画像読取装置で光電的に読み込まれた濃度データ（ＤＲi ，ＤＧi ，ＤＢi ）を、下記のように重層効果を除くための３次元ルックアップテーブル（以下、３ＤＬＵＴという）で変換（Φ3D）して、重層効果が除去された重層効果を受ける前の状態の濃度データ（ＤＲ0i，ＤＧ0i，ＤＢ0i）を得る。
（ＤＲi ，ＤＧi ，ＤＢi ）→Φ3D→（ＤＲ0i，ＤＧ0i，ＤＢ0i）
ここで、変換Φ3Dは３ＤＬＵＴ変換を表す。
【００１３】
次に、第２の変換工程において、こうして得られた重層効果前の濃度データ（ＤＲ0i，ＤＧ0i，ＤＢ0i）を、下記のように色（Ｒ，Ｇ，Ｂ）毎に３つの露光量変換用１次元ルックアップテーブル（以下、１ＤＬＵＴという）を用いてそれぞれ変換（ΦR ，ΦG ，ΦB ）して、対数露光量データ（ｌｏｇＥＲ0i，ｌｏｇＥＧ0i，ｌｏｇＥＢ0i）を得る。
ｌｏｇＥＲ0i→ΦR →ＤＲ0i
ｌｏｇＥＧ0i→ΦG →ＤＧ0i
ｌｏｇＥＢ0i→ΦB →ＤＢ0i
ここで、ΦR ，ΦG ，ΦB は、それぞれ各色Ｒ，Ｇ，Ｂの１ＤＬＵＴ変換を表す。
【００１４】
続いて、光源差調整工程において、こうして得られた対数露光量データ（ｌｏｇＥＲ0i，ｌｏｇＥＧ0i，ｌｏｇＥＢ0i）に、下記のように各色（Ｒ，Ｇ，Ｂ）毎に異種光源と適正光源との露光量差を加えて、適正光源下での撮影に相当する、調整された新規な対数露光量データ（ｌｏｇＥＲ1i，ｌｏｇＥＧ1i，ｌｏｇＥＢ1i）に変換する。
ｌｏｇＥＲ1i＝ｌｏｇＥＲ0i＋ΔｌｏｇＥＲ
ｌｏｇＥＧ1i＝ｌｏｇＥＧ0i＋ΔｌｏｇＥＧ
ｌｏｇＥＢ1i＝ｌｏｇＥＢ0i＋ΔｌｏｇＥＢ
ここで、ΔｌｏｇＥＲ，ΔｌｏｇＥＧ，ΔｌｏｇＥＢは、それぞれ各色Ｒ，Ｇ，Ｂの異種光源と適正光源との露光量差を表す。
【００１５】
次に、第１の逆変換工程において、こうして得られた光源差調整済の対数露光量データ（ｌｏｇＥＲ1i，ｌｏｇＥＧ1i，ｌｏｇＥＢ1i）を、上述した露光量への変換に用いた３つの露光量変換用１ＤＬＵＴ（ΦR ，ΦG ，ΦB ）を再び用いてそれぞれ逆変換して、光源差調整済の、重層効果のない濃度データ（ＤＲ1i，ＤＧ1i，ＤＢ1i）を得る。
ＤＲ1i→ tΦR →ｌｏｇＥＲ1i
ＤＧ1i→ tΦG →ｌｏｇＥＧ1i
ＤＢ1i→ tΦB →ｌｏｇＥＢ1i
ここで、 tΦR ， tΦG ， tΦB は、それぞれ各色Ｒ，Ｇ，Ｂの１ＤＬＵＴ逆変換を表す。
【００１６】
最後に、第２の逆変換工程において、こうして得られた光源差調整済の、重層効果のない濃度データ（ＤＲ1i，ＤＧ1i，ＤＢ1i）を、上述した重層効果除去に用いた３ＤＬＵＴ（Φ3D）を再び用いて逆変換して、光源差調整済で重層効果のある、すなわち適正光源下で撮影に相当する画像濃度データ（ＤＲ’i ，ＤＧ’i ，ＤＢ’i ）を得る。
（ＤＲ1i，ＤＧ1i，ＤＢ1i）→ tΦ3D→（ＤＲ’i ，ＤＧ’i ，ＤＢ’i ）
ここで、変換 tΦ3Dは、３ＤＬＵＴ逆変換を表す。
【００１７】
こうして、異種光源下で撮影された感光材料の画像であっても、適正光源下で撮影された感光材料の画像を読み込んだ時に得られる濃度データと同等の濃度データを得ることができ、これらの光源差調整濃度データを用いてプリントすることにより、色味がなく、グレイバランスのとれた適正な画質のプリントを得ることができる。
【００１８】
本発明において、対象とする感光材料は、上述したカラーネガフィルムに限定されず、異種光源下での撮影で重層効果による色再現のゆがみが生じるものであれば、どのような感光材料でもよく、上述したカラーネガフィルムの他、例えばカラーリバーサルフィルム、黒白ネガフィルム、黒白リバーサルフィルムなどの種々の感光フィルムを挙げることができる。
【００１９】
また、本発明において適正光源とは、感光材料に被写体を適正な露光量で撮影する時、グレイバランスおよび色再現がともに適正に仕上がるように現像できるように撮影することのできる光源であり、感光材料に応じて決められる。一方、適正光源からずれた異種光源とは、感光材料に対して特定される被写体撮影に適正な光源以外の全ての光源をいう。例えば、一般的な昼光用感光材料の場合、色温度の高い光源、蛍光灯、タングステン光源などを挙げることができるが、昼光であっても、曇りなどの日でも色温度が高い場合には異種光源として扱うことができる。また、感光材料によって、特殊な撮影光源が指定されているものでは、指定以外の光源、通常の昼光も異種光源として扱う必要がある。
【００２０】
また、本発明の第１の変換工程および第２の逆変換工程において、感光材料からスキャナなどで収録された画像濃度データを重層効果を受ける前の濃度データに変換するための３ＤＬＵＴは、光源差調整済の、重層効果のない濃度データを光源差調整済で重層効果のある、適正光源下で撮影に相当する画像濃度データに逆変換する場合にも、同様に用いられるものであり、特に制限的ではなく、感光材料に応じて適宜設定すればよい。
【００２１】
このような３ＤＬＵＴは、例えば、以下のようにして作成することができる。  まず、非常にシャープなＲ，Ｇ，Ｂ光（例えば、レーザ光）で、各色複数レベル、例えば９レベルの組み合わせで、感光材料、例えばカラーネガフィルムに露光する。すると、７２９（＝９×９×９）個の色パッチが生成される。これらの色パッチの中には、Ｒ光のみで露光されたものが９つある。この色パッチにはＧ光、Ｂ光はあたっていないので、この感光材料のＧ層およびＢ層は未感光であり、現像抑制剤が放出されない。従って、この感光材料のＲ層は、他層からの重層効果の影響を受けず現像が進む。すなわち、この９つの色パッチは、重層効果前（他層からの重層効果の影響を受けていないという意味である）の濃度と見なすことができる。ここでは、その濃度データをＤＲ0j（ｊ＝１〜９）と表記する。また、Ｇ光のみ、およびＢ光のみで露光された場合も同様であり、それらの濃度データをＤＧ0j、およびＤＢ0jと表記する。
【００２２】
Ｒ，Ｇ，Ｂ光が同時にあたった色パッチの重層効果前の濃度データは、それぞれＤＲ0j，ＤＧ0j，ＤＢ0jであり、重層効果後（他層からの重層効果の影響を受けているという意味）の濃度（以下、ネガ濃度とも呼ぶ）データは、濃度測定することにより、ＤＲj ，ＤＧj ，ＤＢj として得られる。
こうして、７２９色の全ての色パッチについて、ネガ濃度データＤＲj ，ＤＧj ，ＤＢj と重層効果前の濃度データＤＲ0j，ＤＧ0j，ＤＢ0jの対が、構成される。これがネガ濃度を重層効果前の濃度に変換するための３ＤＬＵＴである。この３ＤＬＵＴは、光源差が調整された重層効果前の濃度をネガ濃度に逆変換するのにも用いられるので、ネガ濃度と重層効果前の濃度との双方向データ変換手段ということができる。
【００２３】
このような３ＤＬＵＴを用いることにより、任意のネガ濃度データＤＲi ，ＤＲi ，ＤＢi が入力されると、補問演算を行うことにより重層効果前の濃度データＤＲ0i，ＤＧ0i，ＤＢ0iが出力される。逆に、任意の重層効果前の濃度データＤＲ1i，ＤＧ1i，ＤＢ1iが入力されると、同様に補問演算を行うことによりネガ濃度データＤＲ’i ，ＤＲ’i ，ＤＢ’i が出力される。
【００２４】
図示例では、感光材料の濃度（ネガ濃度）を重層効果前の濃度に変換するとともにその逆変換を行う第１の双方向データ変換手段として、３ＤＬＵＴを用いているが、本発明はこれに限定されず、感光材料の濃度と重層効果前の濃度との間の双方向変換を行うことができるものであれば、どのようなものでもよい。しかし、これらの順変換および逆変換は、下記のように、いずれも非線形変換となるので、精度の点で３ＤＬＵＴが最も好ましいが、この３ＤＬＵＴの代わりに、例えば、マトリックス演算なども用いることができる。
順変換
ＤＲ0i＝ｆR （ＤＲi ，ＤＧi ，ＤＢi ）
ＤＧ0i＝ｆG （ＤＲi ，ＤＧi ，ＤＢi ）
ＤＢ0i＝ｆB （ＤＲi ，ＤＧi ，ＤＢi ）
逆変換
ＤＲi ＝ｇR （ＤＲ0i，ＤＧ0i，ＤＢ0i）
ＤＧi ＝ｇG （ＤＲ0i，ＤＧ0i，ＤＢ0i）
ＤＢi ＝ｇB （ＤＲ0i，ＤＧ0i，ＤＢ0i）
ここで、ＤＲ0i，ＤＧ0i，ＤＢ0iは重層効果前の濃度データ、ＤＲi ，ＤＧi ，ＤＢi は感光材料の濃度、ｆR ，ｆG ，ｆB は順変換関数、ｇR ，ｇG ，ｇB は逆変換関数を表す。
【００２５】
このように、本発明で用いられる３ＤＬＵＴは、以下に示す３×３マトリックスで近似することができる。なお、重層効果を表す３ＤＬＵＴは、上述したように、一般に非線型性が強いので、このマトリックスによる近似は、その精度があまり良くないと考えられるが、演算処理の速度が優先され、精度があまり要求されない場合に用いることができる。
【００２６】
【数１】
0003719860.tif 000002
【００２７】
また、本発明の第２の変換工程および第１の逆変換工程において、重層効果前の濃度データを対数露光量データに変換するための３つの１ＤＬＵＴは、感光材料、例えばカラーネガフィルムの特性曲線に対応するものであり、光源差調整済露光量データを光源差調整済の、重層効果前の濃度データに逆変換する場合にも、同様に用いられるものであり、特に制限的ではなく、感光材料に応じて適宜設定すればよい。
【００２８】
このような１ＤＬＵＴは、例えば、以下のようにして作成することができる。
まず、適正光源でグレイのセンシトメトリーをネガフィルムなどの感光材料に行い、ネガサンプルなどの感光材料サンプルを得る。このサンプルを濃度測定することにより、感光材料の濃度、すなわちネガ濃度を得る。このネガ濃度に上述の３ＤＬＵＴを作用させることにより、重層効果前の濃度を得る。露光量（対数露光量）は既知であるので、対数露光量と重層効果前の濃度の間に１ＤＬＵＴを設定することができる。
【００２９】
図示例では、重層効果前の濃度を対数露光量に変換するとともにその逆変換を行う第２の双方向データ変換手段として、１ＤＬＵＴを用いているが、本発明はこれに限定されず、重層効果前の濃度と対数露光量との間の双方向変換を行うことができるものであれば、どのようなものでもよい。なお、これらの重層効果前の濃度と対数露光量との間の関係は、感光材料の特性曲線によって表されるので、上述した１ＤＬＵＴの代わりに、例えば、多項式近似なども用いることができる。
【００３０】
また、本発明の光源差調整工程において、適正光源と異種光源との撮影光源の違いを調整、または補正するための適正光源下で撮影された感光材料の画像（以下、適正光源撮影画像という）の露光量と異種光源下で撮影された感光材料の画像（以下、異種光源撮影画像という）の露光量との差は、特に制限的ではなく、対象とする異種光源と感光材料に対して決められている適正光源に応じて適宜設定すればよい。なお、この露光量の差は、適正光源と異種光源とを感光材料の分光感度で評価した時の露光量差、いわゆる感光材料の目で見た時の露光量差であるのが好ましい。
【００３１】
このような露光量の差は、例えば、以下のようにして設定することができる。
まず、異種光源撮影画像のＬＡＴＤと適正光源撮影画像のＬＡＴＤとを、上述した重層効果除去用３ＤＬＵＴを用いて重層効果前の濃度データに変換し、さらに上述した露光量変換用１ＤＬＵＴで対数露光量データに変換した上で、両者の差を各色Ｒ，Ｇ，Ｂ毎に計算することにより、露光量差ΔＥ（ΔｌｏｇＥＲ，ΔｌｏｇＥＧ，ΔｌｏｇＥＢ）を求めることができる。
なお、予め、感光材料および撮影適正光源ならびに撮影に利用される可能性のある異種光源が既知である場合には、適正光源および複数の異種光源を感光材料に撮影し、異種光源毎に異種光源と適正光源とのＬＡＴＤを求め、上述の方法により露光量差を求めておくことにより、露光量差を予め設定しておくこともできる。こうすることにより、本発明の色補正方法の処理の簡素化および処理速度の向上をはかることができる。
【００３２】
図示例では、対数露光量において調整される、適正光源と異種光源の露光量のずれを調整または補正する手段として、適正光源撮影画像のＬＡＴＤに基づく露光量と異種光源撮影画像のＬＡＴＤに基づく露光量との差を加算する手段を用いているが、本発明はこれに限定されず、適正光源撮影画像の露光量と異種光源撮影画像の露光量とのずれを補正することができれば、どのようなものでもよい。なお、適正および異種光源撮影画像の露光量差は、両画像のＬＡＴＤに基づくものに限定されず、例えば、両画像の濃度ヒストグラムの中央値や、両画像の最高濃度値などに基づくものであってもよい。
本発明の色補正方法は、基本的に以上のように構成される。
【００３３】
このような本発明の色補正方法は、図２に示す本発明の色補正装置の一実施例によって実施することができる。
図２は、本発明の色補正装置を適用するデジタルフォトプリンタの一実施例を示すブロック図である。
【００３４】
同図に示すデジタルフォトプリンタ１０は、カラーネガフィルムなどの感光材料に担持された画像を光電的に読み取るスキャナ（画像読取装置）１２と、本発明の色補正装置１４を備え、スキャナ１２で読み込まれた画像濃度データに本発明の色補正方法を行うのみならず、所要の画像処理を施して、画像記録用画像データとする画像処理装置１６と、画像処理装置１６から出力された画像記録用画像データに基づいて変調されたレーザビームなどの光ビームを用いて印画紙などのプリント用感光材料にプリント画像を潜像として記録する画像露光装置１８および画像露光装置１８によってプリント画像が潜像として記録された印画紙などのプリント用感光材料を現像処理する感光材料処理装置２０を備える画像記録装置（プリンタ）２２とを有する。
【００３５】
本発明の色補正装置１４は、スキャナ１２によってネガフィルムなどの感光材料に撮影された画像から光電的に読み込まれた濃度データと重層効果を受ける前の濃度データとの間の双方向データ変換を行うための第１変換部２４と、この重層効果を受ける前の濃度データと露光量データとの間の双方向データ変換を行う第２変換部２６と、前記露光量データにおいて適正光源と異種光源の露光量のずれを調整する調整部２８とを有する。
【００３６】
第１変換部２４は、ネガ濃度などの濃度データを重層効果前の濃度データに変換するとともにその逆変換も行うもので、上述した３ＤＬＵＴや３×３マトリックスなどを有する。
第２変換部２６は、重層効果前の濃度データを露光量データに変換するとともにその逆変換も行うもので、感光材料の特性曲線に対応する上述した１ＤＬＵＴや多項式などを有する。
調整部２８は、適正光源と異種光源の露光量のずれを調整または補正するもので、上述したように、異種光源撮影画像の露光量データに、適正光源撮影画像と異種光源撮影画像とのＬＡＴＤの露光量差を加算して、適正光源撮影画像相当の露光量データにシフトさせる演算手段を有する。
【００３７】
なお、図示例のデジタルフォトプリンタ１０において、スキャナ１２、本発明の色補正装置１４を除く画像処理装置１６および画像記録装置２２の画像露光装置１８ならびに感光材料処理装置２０は、特に制限的ではなく、従来公知のものを適用することができる。
【００３８】
図示例のデジタルフォトプリンタ１０においては、まず、スキャナ１２で感光材料の異種光源撮影画像の濃度データが読み込まれた後、画像処理装置１６に送られる。画像処理装置１６においては、この（重層効果を含む）濃度データに、必要に応じて所要の種々の公知の画像処理を施した後、本発明の色補正装置１４に送られる。
【００３９】
本発明の色補正装置１４においては、まず第１変換部２４で所要の画像処理が施された（重層効果を含む）濃度データを上記３ＤＬＵＴを用いて重層効果前の濃度データに変換する。次に、第２変換部２６でこの重層効果前の濃度データを上記１ＤＬＵＴを用いて露光量データに変換する。
【００４０】
続いて、調整部２８でこの露光量データに異種光源と適正光源との露光量差を加算して、適正光源相当の調整露光量データにシフトさせる。
この後、得られた調整露光量データを再び第２変換部２６に戻して、調整済の、重層効果前の濃度データに逆変換する。さらに、得られた調整済の、重層効果前の濃度データ再び第１変換部２４に戻して逆変換し、適正光源下で撮影された感光材料の画像の（重層効果を含む）濃度データと同等の濃度データを得ることができる。
【００４１】
こうして得られた濃度データは、画像処理装置１６において、必要に応じて所要の種々の公知の画像処理が施されて、画像記録用画像濃度データとされた後、画像処理装置１６から画像記録装置２２の画像露光装置１８に送られる。画像露光装置１８では、画像記録用画像濃度データに基づいて変調されたレーザビームなどの光ビームによって印画紙などの感光材料に潜像としてプリント画像を記録する。最後に、感光材料処理装置２０において、感光材料に潜像として記録されたプリント画像を感光材料処理装置２０において現像処理して、仕上がりプリントを得ることができる。
こうして得られた仕上がりプリントは、異種光源で撮影されたものであっても、グレイバランスも色再現も共に適正光源で撮影されたものと同等の画質の画像に仕上げることができる。
本発明の色補正装置は、基本的に以上のように構成される。
【００４２】
以上、本発明に係る色補正方法および装置について種々の実施例を挙げて詳細に説明したが、本発明は上記実施例に限定されず、本発明の要旨を逸脱しない範囲において、各種の改良および設計の変更を行ってもよいのはもちろんである。
【００４３】
【発明の効果】
以上詳述したように、本発明によれば、異種光源で撮影されたネガフィルムなどの感光材料から、グレイバランスをとってプリントした時に、色彩度も著しく復元することができ、適正光源されたネガフィルムなどの感光材料からのプリントに近い、グレイバランスも色再現も共に適正な画像を持つプリントを得ることができる。
【図面の簡単な説明】
【図１】  本発明に係る色補正方法の一例のフローチャートである。
【図２】  図１に示す色補正方法を実施する本発明の色補正装置が適用されるデジタルフォトプリンタの一実施例のブロック図である。
【符号の説明】
１０  デジタルフォトプリンタ
１２  スキャナ
１４  色補正装置
１６  画像処理装置
１８  画像露光装置
２０  感光材料処理装置
２２  画像記録装置
２４  第１変換部
２６  第２変換部
２８  調整部
【図１】
0003719860.tif 000003
【図２】
0003719860.tif 000004